(57)【要約】【課題】ブレーキディスクを提供する。【解決手段】本発明は、凹部を備える複数の領域を有する摩擦面（４）を備えるブレーキディスクであって、凹部が、円周方向に延びて形成され、該凹部は、全体でブレーキパッドに対していかなる半径方向への横力も加えないように形成されまたは配置されるブレーキディスクである。【選択図】図１
2014040913.tif 000002
【特許請求の範囲】
【請求項１】
凹部を備える複数の領域（３１〜３４、５１〜５３）を有する摩擦面（４、２４、４４）を備えるブレーキディスクにおいて、前記凹部が、円周方向に延びて形成され、該凹部は、全体でブレーキパッドに対していかなる半径方向への横力も加えないように形成されまたは配置されることを特徴とするブレーキディスク。
【請求項２】
前記摩擦面（４、２４、４４）における前記凹部を備える複数の領域（３１〜３４、５１〜５３）が、円弧形状または波形状を有し、前記ブレーキディスク（１、２１、４１）の円周方向に互いから間隔を空けて配置されていることを特徴とする、請求項１に記載のブレーキディスク。
【請求項３】
前記摩擦面（４、２４、４４）における前記凹部を備える複数の領域（３１〜３４、５１〜５３）が、ヘリングボーン形状またはＶ字形状を有し、前記ブレーキディスク（１、２１、４１）の円周方向に互いから間隔を空けて配置されていることを特徴とする、請求項１に記載のブレーキディスク。
【請求項４】
前記摩擦面（２４、４４）における前記凹部を備える複数の領域（３１、３２、３３、３４、５１、５２）が、前記ブレーキディスク（２１、４１）の円周方向に均一に分散されていることを特徴とする、請求項１〜３のいずれか一項に記載のブレーキディスク。
【請求項５】
均一にまたは不均一に分散するように配置された複数の凹部が互いに対して規則的な配置または不規則な配置で生成されるように、前記凹部は円周方向に断続的に配置されることを特徴とする、請求項１〜４のいずれか一項に記載のブレーキディスク。
【請求項６】
前記摩擦面（２４、４４）における前記凹部を備える複数の領域（３３、３１、３４、３３、５３、５１、５２）が、前記ブレーキディスク（２１、４１）の半径方向に互いから間隔を空けて配置されていることを特徴とする、請求項１〜５のいずれか一項に記載のブレーキディスク。
【請求項７】
前記ブレーキディスク（４１）の半径方向に互いから間隔を空けて配置され、かつ前記凹部を備える複数の領域（５３、５１、５２）が、前記円周方向に互いからずれて配置されていることを特徴とする、請求項６に記載のブレーキディスク。
【請求項８】
前記ブレーキディスク（４１）の半径方向に互いから間隔を空けて配置され、かつ前記凹部を備える複数の領域（５３、５１、５２）が、交互配置がもたらされるように、円周方向に互いからずれて配置されていることを特徴とする、請求項７に記載のブレーキディスク。
【請求項９】
前記摩擦面の前記複数の領域（３１、３２、３３、３４、５１、５２）の前記凹部が、円弧形状を有する溝の形態であることを特徴とする、請求項１〜８のいずれか一項に記載のブレーキディスク。
【請求項１０】
前記摩擦面における前記凹部を備える複数の領域（３１、３２、３３、３４、５１、５２）が、各々、円周方向に見て始端および終端で、前記ブレーキディスクの内部の複数の冷却ダクトのうちの１つに通じる貫通孔（３６、３７、５６、５７）によって境界が画されていることを特徴とする、請求項１〜９のいずれか一項に記載のブレーキディスク。
【請求項１１】
前記摩擦面における前記凹部を備える複数の領域（５２）が、内側では第１の円弧範囲（６１）によって半径方向に境界が画され、外側では、前記第１の円弧範囲（６１）より前記貫通孔（５６、５７）の直径（６４）の長さ分大きい第２の円弧範囲（６２）によって半径方向に境界が画されていることを特徴とする、請求項９に記載のブレーキディスク。
【請求項１２】
前記摩擦面（４４）における前記凹部が、１／１０ミリメートル〜１ミリメートルの深さ（７２）を有していることを特徴とする、請求項１〜１１のいずれか一項に記載のブレーキディスク。
【請求項１３】
円周方向に見て、前記摩擦面（４４）における前記凹部の前記深さ（７２）が、一定ではなく、増加するかまたは減少していることを特徴とする、請求項１１に記載のブレーキディスク。
【発明の詳細な説明】
【技術分野】
【０００１】
本発明は、凹部を備える領域を有する摩擦面を備えるブレーキディスクに関する。
【背景技術】
【０００２】
（特許文献１）は、摩擦面が平滑面の外形である自動車ディスクブレーキ用のブレーキディスクを開示している。平滑面の外形には、溝が螺旋状に伸びている。ブレーキディスクは、螺旋形状の回転方向が反対である少なくとも２つのセクションを形成している。セクション毎に複数の断続的なかつ／または交差する溝があり得る。
【先行技術文献】
【特許文献】
【０００３】
【特許文献１】独国特許出願公開第１０  ２００６  ０１７  ２０７  Ａ１号明細書
【発明の概要】
【発明が解決しようとする課題】
【０００４】
本発明の目的は、凹部を備える領域を有する摩擦面を備えているブレーキディスクを、ブレーキディスクの動作中に湿潤摩擦係数に関して最適化することである。
【課題を解決するための手段】
【０００５】
この目的は、凹部を備える複数の領域を有する摩擦面を備えるブレーキディスクにおいて、凹部が、円周方向に延びて形成され、該凹部は、全体でブレーキパッドに対していかなる半径方向への横力も加えないように形成されまたは配置される、という点で達成される。凹部が円周方向に延びて形成され且つブレーキパッドにいかなる半径方向への横力も加えないように配置されるという事実により、パッド面を、ディスク面に食い込まないようにすることができる。本発明によるブレーキディスクは、好ましくは、穿孔された設計であり、内部が通気される。摩擦面における凹部の形成および配置により、ブレーキディスクの摩擦面からの水の排出を促進することができる。結果として、ブレーキディスクの湿潤摩擦係数を大幅に向上させることができる。軸方向に、半径方向に、および円周方向にという用語は、ブレーキディスクの回転軸を基準とする。軸方向にとは、回転軸の方向または回転軸に対して平行な方向にあることを意味する。半径方向にとは、回転軸に対して横切る方向にあることを意味する。
【０００６】
たとえば、摩擦面における凹部を備える領域は、円弧の形態の形状または波形状を有することができ、ブレーキディスクの円周方向に互いから間隔を空けて配置されている。たとえば、凹部および／または凹部の下位領域を、車輪の中心に対して同心状にまたは同心状でなく伸びるように配置することができる。本発明によるブレーキディスクは、好ましくは、セラミック材料から形成される。セラミック材料から作製される本発明によるブレーキディスクが設けられるディスクブレーキもまた、セラミックブレーキと呼ばれる。
【０００７】
摩擦面における凹部を備える領域が、ヘリングボーン形状またはＶ字形状を有し、ブレーキディスクの円周方向に互いから間隔を空けて配置されていることがさらに考えられる。本明細書において列挙する形状の可能性は、単に例示的な列挙であるものとして理解されるべきであり、凹部を介してパッドに加えられる横力が、横力に対抗するその他の凹部によって補償され続けることができる限り、さらに別の形態または幾何学的形状が考えられる。
【０００８】
たとえば、凹部を、単一の溝状窪み又は複数の溝状窪みによって形成することができ、または、複数の溝状窪みは、互いに隣接して配置され、たとえば角部を備え、または丸い上縁または丸い下縁を備える、同一のまたは不均一の断面を有することができる。たとえば、互いに隣接して配置された複数の凹部により、断面が波形状またはジグザグ形状の外形を生成することができる。
【０００９】
ブレーキディスクの好ましい例示的な実施形態は、摩擦面に凹部を備える複数の領域が、ブレーキディスクの円周方向に均一に分散されていることを特徴とする。本発明の本質的な一態様によれば、摩擦面の凹部を備える領域は、パッド面がディスクの外形に食い込むことを回避するために、円周方向に連続的にではなく、断続的に形成される。摩擦面に凹部を備える複数の領域は、円周方向に均一にまたは不均一に互いから間隔を空けて配置されている。
【００１０】
たとえば、ブレーキディスクの１つの摩擦面側のみに凹部を設けることができる。
【００１１】
ブレーキディスクのさらなる好ましい例示的な実施形態は、摩擦面に凹部を備える複数の領域が、ブレーキディスクの半径方向に互いから間隔を空けて配置されていることを特徴とする。摩擦面に凹部を備える領域は、好ましくは、ブレーキディスクの半径方向に、同様に均一に分散され、特に互いから均一に間隔を空けて配置されている。
【００１２】
ブレーキディスクのさらなる好ましい例示的な実施形態は、ブレーキディスクの半径方向に互いから間隔を空けて配置され、かつ凹部を備える領域が、円周方向に互いからずれて配置されていることを特徴とする。ずれた配置は、ブレーキディスクの動作中に発生しているパッド振動に関して有利であることが分かった。
【００１３】
ブレーキディスクのさらなる好ましい例示的な実施形態は、ブレーキディスクの半径方向に互いから間隔を空けて配置され、かつ凹部を備える領域が、交互配置がもたらされるように、円周方向に互いからずれて配置されていることを特徴とする。交互配置により、摩擦面に近づきかつ摩擦面から離れる方向に移動するブレーキパッドによってもたらされる、望ましくないパッド振動が回避される。
【００１４】
ブレーキディスクのさらなる好ましい例示的な実施形態は、摩擦面の領域の凹部が、円弧形状を有する溝の形態であることを特徴とする。摩擦面の領域に、複数の溝が、好ましくは、各々、半径方向に互いから間隔を空けて配置されている。摩擦面の領域に、溝は、好ましくは、半径方向に互いから均一に間隔を空けて配置されている。
【００１５】
ブレーキディスクのさらなる好ましい例示的な実施形態は、摩擦面に凹部を備える領域が、各々、円周方向に見て始端および終端で、ブレーキディスクの内部の複数の冷却ダクトのうちの１つに通じる貫通孔によって境界が画されていることを特徴とする。冷却ダクトは、ブレーキの内部通気を提供する役割を果たす。貫通孔は、好ましくは穿孔穴として設計されている。摩擦面に凹部を備える領域の始端および終端における貫通孔の配置により、冷却ダクトを通過する流れによってもたらされる貫通孔の排水効果を、ブレーキディスクの摩擦面から水を排出するために特に有利に使用することができる。
【００１６】
ブレーキディスクのさらなる好ましい例示的な実施形態は、摩擦面に凹部を備える領域が、内側では第１の半径によって半径方向に境界が画され、外側では、第１の半径より貫通孔の直径分大きい第２の半径によって半径方向に境界が画されていることを特徴とする。その結果、貫通孔の吸引効果を、摩擦面に凹部を備える領域に特に有効に集中させることができる。
【００１７】
ブレーキディスクのさらなる好ましい例示的な実施形態は、摩擦面における凹部が、数１００分の１ミリメートル〜数ミリメートルの深さを有しているということを特徴とする。これらの値は、本発明の文脈内で行われる調査において特に有利であることが分かった。
【００１８】
ブレーキディスクのさらなる好ましい例示的な実施形態は、円周方向に見て、摩擦面における凹部の深さが、一定ではなく、増加するかまたは減少していることを特徴とする。凹部の深さは、それぞれの領域の始端から終端まで一定に増加することも減少することができる。凹部の深さは、領域内で交互に増加し減少することも可能である。
【００１９】
本発明のさらなる利点、特徴および詳細は、さまざまな例示的な実施形態が図面を参照してより詳細に記載されている以下の説明から明らかとなる。
【図面の簡単な説明】
【００２０】
【図１】内部通気があるブレーキディスクの非常に簡略化した図を断面で示す。
【図２】第１の例示的実施形態による、図１のブレーキディスクを上面図で示す。
【図３】第２の例示的実施形態による、図２に類似する図を示す。
【図４】図３の凹部を備える領域の簡略化しかつ拡大した図を示す。
【図５】図４の領域を断面図で示す。
【発明を実施するための形態】
【００２１】
図１は、摩擦面４を備えるブレーキディスク１を、非常に簡略化した形態でかつ断面で示す。摩擦面４では、ブレーキディスク１の内部の冷却ダクト８に通じる貫通孔５が、開いたままになっている。冷却ダクト８を通る、空気等の冷却媒体の流れを、矢印１０によって示す。摩擦面４から貫通孔５を通る冷却ダクト８内への排水効果を、破線矢印１２によって示す。
【００２２】
ブレーキディスク１は、セラミック複合材料から形成されている。このタイプのブレーキディスクは、ポルシェセラミックコンポジットブレーキ（ＰＣＣＢ：ＰＯＲＳＣＨＥ  Ｃｅｒａｍｉｃ  Ｃｏｍｐｏｓｉｔｅ  Ｂｒａｋｅ）という名称でも知られている。ブレーキディスク１の本発明による設計により、水が、摩擦面４から貫通孔５を通って冷却ダクト８内に排出することが可能になる。それにより、セラミックブレーキの湿潤摩擦係数を、ねずみ鋳鉄材料から作製されたブレーキディスクを有するブレーキに比較して改善することができる。
【００２３】
図２は、第１の例示的実施形態によるブレーキディスク２１を上面図で示す。ブレーキディスク２１は、摩擦面２４によって包囲される中心開口部２２を備えている。凹部を備える複数の領域３１、３２、３３、３４が、摩擦面２４に形成されている。
【００２４】
複数（図示せず）の領域のうちの４つの領域３１〜３４のみが、例として示されており、図２において参照数字が与えられている。凹部のすべてが、摩擦面２４にわたって均一に分散されて配置されている。
【００２５】
領域３１〜３４は、円弧形状である。領域３１〜３４の各々は、各々、円周方向に見て、始端と終端とに貫通孔３６、３７を有している。同様に円弧形状を有する複数の溝が、貫通孔３６、３７の間のそれぞれの領域３２に延在している。
【００２６】
図２に示す例示的な実施形態では、領域３１と３３、および３２と３４は、円周方向にオーバラップするように（半径方向位置は異なるが円周方向位置は重なるように）配置されている。円周方向に２つの領域３１と３２、および３３と３４の間に、摩擦面２４に凹部が設けられていない隙間が、各々、空いたままになっている。
【００２７】
図１において破線矢印１２によって示す排水効果により、より多くの水が摩擦面から導かれることが可能になり、その結果、摩擦パッドが領域３１と３３、および３２と３４では摩擦面２４に近づく。摩擦パッドは、領域３１と３３、および３２と３４の間では摩擦面２４から離れるように円周方向に移動する。
【００２８】
図３は、摩擦面４４および中心開口部４２を備えるブレーキディスク４１を上面図で示す。摩擦面４４に、各々が円弧形状を有する凹部を備える３つの領域５１、５２、５３が示されている。
【００２９】
領域５１〜５３の各々は、円周方向に見て、始端および終端で貫通孔５６、５７によって境界が画されている。貫通孔５６、５７の間において、各領域５１〜５３は、同様に円弧形状を有する複数の溝を備えている。
【００３０】
図２に示す例示的な実施形態とは対照的に、図３では、領域５１、５２および５３は、円周方向に見て互いにずれて配置されている。この結果、領域５１、５３および５２の交互の配置になる。
【００３１】
図３に示す交互配置により、図２に示す例示的な実施形態の場合に発生する可能性がある望ましくないパッド振動を、単純な方法で回避することができる。
【００３２】
図４は、２つの貫通孔５６および５７がある領域５２を、拡大して、かつ貫通孔５６および５７の間に溝のない状態で示す。領域５２の第１円弧範囲を矢印６１によって示す。領域５２の第２円弧範囲を矢印６２によって示す。
【００３３】
貫通孔５７の直径を、双方向矢印６４によって示す。貫通孔５６は、貫通孔５７と直径が同じである。第２円弧範囲６２は第１円弧範囲６１より直径６４の長さ分大きい。
【００３４】
図５は、領域５２を溝のない状態で断面図で示す。領域５２の幅を双方向矢印７１によって示す。領域５２の深さを双方向矢印７２によって示す。
【００３５】
領域５２の深さ７２は、１／１０ミリメートル〜１ミリメートルである。領域５２の幅７１は、例えば０．５ミリメートルである。
【００３６】
領域５２の幅７１を、直径６４より小さくすることができる。しかしながら、領域５２の幅７１は、原則的に、貫通孔５７の直径６４と関係していない。
【符号の説明】
【００３７】
１  ブレーキディスク
４  摩擦面
５  貫通孔
８  冷却ダクト
１０  冷却媒体の流れ
１２  排水効果
２１  ブレーキディスク
２２  中心開口部
２４  摩擦面
３１  領域
３２  領域
３３  領域
３４  領域
３６  貫通孔
３７  貫通孔
４１  ブレーキディスク
４２  中心開口部
４４  摩擦面
５１  領域
５２  領域
５３  領域
５６  貫通孔
５７  貫通孔
６１  第１円弧範囲
６２  第２円弧範囲
６４  直径
７１  幅
７２  深さ
【図１】
2014040913.tif 000003
【図２】
2014040913.tif 000004
【図３】
2014040913.tif 000005
【図４】
2014040913.tif 000006
【図５】
2014040913.tif 000007
【外国語明細書】
2014040913000001.pdf